【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
モータと、該モータの回転力を先端工具が取り付けられるアンビルに伝達する回転伝達部と、前記モータと前記回転伝達部を収容する、長手方向に延びるハウジングを有し、
前記モータの回転を制御するトリッガスイッチと、前記モータの回転方向を切り替える切替スイッチを備えた電動工具において、
前記ハウジングの長手方向と平行に延び、前記ハウジングの後端に設けられた揺動軸により揺動可能に取り付けられる、前記トリッガスイッチを押圧するレバーを設け、
前記レバーにより前記トリッガスイッチが押圧された際に、前記切替スイッチの操作をロックするロック機構を設けたことを特徴とする電動工具。
【請求項２】
前記ロック機構は前記トリッガスイッチに設けられ、前記レバーによって前記トリッガスイッチを押圧されていないときは、前記ロック機構は解除されて前記切替スイッチの操作が可能であることを特徴とする請求項１に記載の電動工具。
【請求項３】
前記回転伝達部は、前記モータの回転方向を変更する傘歯車を含み、前記ハウジングがアングル形状を有することを特徴とする請求項２に記載の電動工具。
【請求項４】
前記トリッガスイッチは、前記レバーによる押圧によって移動するトリッガを有するプッシュスイッチであり、該トリッガにはリブが形成され、
前記切替スイッチは、スライダを有するスライドスイッチであり、該スライダには前記リブに対応する溝部が形成され、
前記トリッガが押圧された時に、前記リブが前記溝部に嵌合することにより、前記スライダの動きが制限されることを特徴とする請求項３に記載の電動工具。
【請求項５】
前記リブは、前記トリッガの移動方向と平行に延びる１つのリブであり、
前記溝部は前記切替スイッチのスライドボタンに形成された少なくとも２本の平行な溝であり、前記トリッガが押された時に、前記リブが前記２本の溝の内いずれか一方に嵌合することを特徴とする請求項４に記載の電動工具。
【請求項６】
前記揺動軸は、前記ハウジング内側に取り付けられ、前記レバーの移動空間のうち揺動軸側の略半分は、前記ハウジングと前記トリッガで囲まれる閉空間内に配置され、前記ハウジングからは前記レバーの先端側略半分が突出することを特徴とする請求項５に記載の電動工具。
【請求項７】
前記レバーと前記ハウジングの間にはバネが設けられ、前記レバーが操作されないときに、前記トリッガスイッチがＯＦＦの位置となるように前記レバーがバネによって付勢されることを特徴する請求項６に記載の電動工具。
【手続補正２】
【補正対象書類名】明細書
【補正対象項目名】０００４
【補正方法】変更
【補正の内容】
【０００４】
上述の構成によって、スピンドルの回転力はカム機構を経てハンマ１３ａに伝わり、一緒に回転を始める。半回転しないうちにハンマ１３ａ、アンビル１４ａの凸部同士が嵌合する。スピンドル、ハンマ１３ａは相対的に捩じられることになり、カム機構の働きによりハンマ１３ａはスプリングを縮めながら後退を始め、ついには凸部の高さを乗り越え、嵌合が解ける。ハンマ１３ａはスピンドルの回転力に加え、スプリングに蓄えられた弾性エネルギーによって回転方向に急激に加速され、かつ前進を始める。ハンマ１３ａが加速されるうちに、再び凸部同士が嵌合することになるが、このとき強力な回転打撃力がアンビル１４ａに加えられ、締結対象に伝わる。そして再びハンマ１３ａは後退を始める。
【手続補正３】
【補正対象書類名】明細書
【補正対象項目名】００１７
【補正方法】変更
【補正の内容】
【００１７】
本発明の他の特徴によれば、トリッガスイッチは、レバーによる押圧によって移動するトリッガを有するプッシュスイッチであり、トリッガにはリブが形成され、切替スイッチは、スライダを有するスライドスイッチであり、スライダにはリブに対応する溝部が形成され、トリッガが押圧された時に、リブが溝部に嵌合することにより、スライダの動きが制限される。このリブは、トリッガの移動方向と平行に延びる１つのリブであり、溝部は切替スイッチのスライドボタンに形成された少なくとも２本の平行な溝であり、トリッガが押された時に、リブが２本の溝の内いずれか一方に嵌合する。
【手続補正４】
【補正対象書類名】明細書
【補正対象項目名】００２３
【補正方法】変更
【補正の内容】
【００２３】
請求項５の発明によれば、リブは、トリッガの移動方向と平行に延びる１つのリブであり、溝部は切替スイッチのスライドボタンに形成された少なくとも２本の平行な溝であり、トリッガが押された時に、リブが２本の溝の内いずれか一方に嵌合するようにしたので、簡単で製造が容易なロック機構を実現できる。
【手続補正５】
【補正対象書類名】明細書
【補正対象項目名】００３７
【補正方法】変更
【補正の内容】
【００３７】
ここで、レバー３の揺動軸３１は、ハウジング５の内側（内部）に取り付けられている。また、レバー３の移動空間のうち揺動軸側の略半分（図５の三角形の領域３５の部分）は、ハウジング５の内壁３３と外側カバー部３６とトリッガ２３で囲まれる閉空間となる。そして、レバー３は、把持部３ａだけ、即ち、先端側の略半分が突出するように配置される。このように構成することにより、レバー３の移動空間に粉塵が入ることを大幅に低減することができる。
【手続補正６】
【補正対象書類名】明細書
【補正対象項目名】００４２
【補正方法】変更
【補正の内容】
【００４２】
スライドボタン２４の貫通孔２１の下側には、平行する２本の溝２６Ａ、２６Ｂが形成され、これら溝の間にはリブ２７が形成される。スライドボタン２４は、例えばプラスチックなどによって一体成型にて製造できる。溝２６Ａ、２６Ｂの寸法は、トリッガ２３に形成されるリブ２５に対応する寸法である。リブ２７は、トリッガ２３のリブ２５が溝２６Ａ、２６Ｂのいずれか一方に確実に嵌合されるように、案内するためのリブであり、その先端、即ち下側先端の形状は平面でなく、一定の曲率を持つほうがリブ２５を案内するのに好ましい。ここで、リブ２５と溝２６Ａ、２６Ｂの配置をプランジャ２２の移動方向に対して平行とした理由は、すべての回転速度領域において正逆切皆ボタン２４の移動を確実に防止するためである。即ち、プランジャ２２に対して、溝２６Ａ、２６Ｂの配置を平行としないと、全速の領域（プランジャ２２が一杯押された状態）ではスイッチＯＮ時に正逆切り皆えを防止できるが、低速領域（プランジャ２２が少ししか押されていない状態）では、リブ２５と溝２６Ａ、２６Ｂが嵌合せずに、スイッチＯＮ時に正逆切り替えを防止できなくなってしまうおそれがあるからである。
【手続補正７】
【補正対象書類名】明細書
【補正対象項目名】００４３
【補正方法】変更
【補正の内容】
【００４３】
図８は電動工具のスイッチＯＮ時のトリッガ２３とスライドボタン２４の位置関係を示す図で、（１）はスイッチＯＦＦ時を示す正面図、（２）はスイッチＯＮ時を示す正面図である。スイッチＯＮ時には、（１）に示す状態から、トリッガ２３がレバー３によって矢印２８の方向に移動するため、（２）に示す状態のようにトリッガ２３のリブ２５がスライドボタン２４のいずれか一方の溝（ここでは溝２６Ａ）に入り込む。この時、作業者がスライドボタン２４を押して、図の右又は左方向に移動しようとしても、トリッガ２３のリブ２５とスライドボタン２４のリブ２７が嵌合状態にあるため、スライドボタン２３の位置は変わることはない。